(57)【要約】  接続の確実性、接続作業の容易さを維持したまま、より低いコストとより高いスペース効率をもって回路基板と電子部品との接続をおこなうことができる、電子部品用コネクタを提供すること。  電気回路の一部を形成し、かつこの回路に電気接続されて列設された複数の基板側端子１２に隣接し当該基板上に形成されたプラグ挿入開口１３を備えた回路基板１１と、電子部品に電気接続される複数の部品側端子２７を有し前記プラグ挿入開口１３内で回路基板１１に差し込まれることにより、その部品側端子２７を前記基板側端子１２に接触させるプラグ部材２１とを含み、このプラグ部材２１が、部品側端子２７を組み込んだプラグ本体２２とプラグ本体２２上で移動可能なストッパ体３３とを備え、かつ、当該プラグ部材２１を前記プラグ挿入口に挿入しプラグ本体２２を水平移動させることによりその部品側端子２７が基板側端子１２に接続されたとき、そのプラグ本体２２が衝当して当該プラグ本体２２の水平移動を規制する位置規制部と、この規制位置で前記ストッパ体３３が係合されて前記プラグ本体２２の位置を固定する移動阻止部１６とを備えていること。【特許請求の範囲】
【請求項１】
電気回路の一部を形成し、かつこの回路に電気接続されて列設された複数の基板側端子に隣接し当該基板上に形成されたプラグ挿入開口を備えた回路基板と、電子部品に電気接続される複数の部品側端子を有し前記プラグ挿入開口内で回路基板に差し込まれることにより、その部品側端子を前記基板側端子に接触させるプラグ部材とを含み、このプラグ部材が、部品側端子を組み込んだプラグ本体とプラグ本体上で移動可能なストッパ体とを備え、かつ、当該プラグ部材を前記プラグ挿入口に挿入しプラグ本体を水平移動させることによりその部品側端子が基板側端子に接続されたとき、そのプラグ本体が衝当して当該プラグ本体の水平移動を規制する位置規制部と、この規制位置で前記ストッパ体が係合されて前記プラグ本体の位置を固定する移動阻止部とを備えていることを特徴とする電子部品用コネクタ。
【請求項２】
前記プラグ本体は、差し込み側に設けた、部品側端子を組み込まれる端子保持空間と、プラグ本体を差し込むときに、回路基板上を水平移動させるプラグ本体上の案内部とを備え、ストッパ体がプラグ本体上で垂直移動可能に保持され、
前記プラグ挿入開口は、プラグ本体の平面形状に対応する形状を有し、差し込み側に基板側端子の一部あるいは全部を配置された突出部を備え、この突出部の両側にプラグ本体に当たる位置規制部となる第一の切り込みおよびストッパ体に嵌まる移動阻止部となる第二の切込みを形成した請求項１に記載のコネクタ。
【請求項３】
ストッパ体がプラグ本体から突出する保持片によって弾性保持されている請求項２に記載のコネクタ。
【発明の詳細な説明】
【技術分野】  本発明は、電子部品用コネクタに係わり、さらに詳しくは、印刷配線基板（以下、回路基板という）の導体とこの基板外に配置される電子部品との電気接続に好適な電子部品用コネクタに関する。
発明の背景
回路基板上の導体と電子部品との電気接続をおこなうコネクタは様々なものが提供されている。たとえば、ハードディスクドライブとマザーボードとの接続には、図１１に示すようなコネクタが広く使われている。このコネクタはプラグ１０１とソケット１０２とからなる。プラグ内部には５０〜８０の可動端子が埋め込まれ、夫々の端子はフラットケーブル１０３に接続されている。ソケット１０２は回路基板１０４に実装されており、その基板上の導体に電気接続するピン状の静止側導体１０５が組み込まれている。接続は、プラグ側面にある突出ガイド１０６をソケット側壁にある溝１０７に一致させ、プラグ１０１をソケット１０２のプラグ挿入開口１０８にはめ込むことにより行なっている。
このコネクタは、プラグ１０１をソケット１０２に差し込むだけで、多数本のケーブル（フラットケーブル１０３）を同時に確実に電気接続でき、接続作業も容易であるが、ソケット１０２が回路基板１０４の表面に突出形態で配設されることなどに起因して製造コストが限界まで到達しており、これ以上コストを下げることが困難である上に、ソケット１０２が基板１０４の表面に突出形成されていることによりスペース効率もよくないという問題がある。
【発明の開示】
そこで、本発明は、接続の確実性、接続作業の容易さを維持したまま、より低いコストとより高いスペース効率をもって回路基板と電子部品との接続をおこなうことができる、電子部品用コネクタを提供することを課題とするものである。
上記課題を解決することを目的としてなされた本発明の電子部品用コネクタの構成は、電気回路の一部を形成し、かつこの回路に電気接続されて列設された複数の基板側端子に隣接し当該基板上に形成されたプラグ挿入開口を備えた回路基板と、電子部品に電気接続される複数の部品側端子を有し前記プラグ挿入開口内で回路基板に差し込まれることにより、その部品側端子を前記基板側端子に接触させるプラグ部材とを含み、このプラグ部材が、部品側端子を組み込んだプラグ本体とプラグ本体上で移動可能なストッパ体とを備え、かつ、当該プラグ部材を前記プラグ挿入口に挿入しプラグ本体を水平移動させることによりその部品側端子が基板側端子に接続されたとき、そのプラグ本体が衝当して当該プラグ本体の水平移動を規制する位置規制部と、この規制位置で前記ストッパ体が係合されて前記プラグ本体の位置を固定する移動阻止部とを備えていることを特徴とするものである。
本発明の電子部品用コネクタは、電気回路の一部を形成し、かつこの回路に電気接続されて列設された複数の基板側端子に隣接し当該基板上に形成されたプラグ挿入開口を備えた回路基板と、電子部品に電気接続される複数の部品側端子を有し前記プラグ挿入開口内で回路基板に差し込まれることにより、その部品側端子を前記基板側端子に接触させるプラグ部材とを含み、このプラグ部材が、部品側端子を組み込んだプラグ本体とプラグ本体上で移動可能なストッパ体とを備え、かつ、当該プラグ部材を前記プラグ挿入口に挿入しプラグ本体を水平移動させることによりその部品側端子が基板側端子に接続されたとき、そのプラグ本体が衝当して当該プラグ本体の水平移動を規制する位置規制部と、この規制位置で前記ストッパ体が係合されて前記プラグ本体の位置を固定する移動阻止部とを備えているため、接続の確実性、接続作業の容易さを維持したまま、より低いコストとより高いスペース効率をもって回路基板と電子部品との接続をおこなうことができる。
すなわち、ソケットとして機能する基板側端子を備えたプラグ挿入開口は回路基板と一体に製造することができて、別部品を必要としないため、構造がきわめて簡単になり、低コストで製造することができる。また、プラグ側の接続は、プラグ部材をプラグ挿入開口に落とし込み、回路基板に差し込むことによっておこなうことができる。差し込みにおいては、位置規制部がプラグ部材の移動位置を規制し、部品側端子を基板側端子に接続させ、そして、ストッパ体が移動阻止部に係合して、プラグ部材の位置を固定するため、接続作業がきわめて簡単であるのみならず、その接続も確実におこなうことができる。
【図面の簡単な説明】  次に、図面を参照して、本発明の電子部品用コネクタの実施の形態例について説明する。図１は本発明コネクタにおいて、回路基板側の端子と部品側端子を有するプラグ部材の斜視図、図２はプラグ部材の平面図、図３は図２のプラグ部材の正面図、図４は図２のプラグ部材の左側面図、図５は図２の５−５線に沿う拡大断面図、図６は図２〜図４に示すプラグ部材を回路基板に装着状態を示す一部を破断した拡大斜視図、図７は回路基板に図２〜図４に示すプラグ部材を装着する過程においてプラグ部材を穴に挿入した状態を示す斜視図、図８は図７のプラグ部材を穴の中で前進させ基板側端子に部品側端子をくわえさせた（接合した）状態を示す斜視図、図９は図８のプラグ部材を穴に固定するためストッパ部材を使用させた状態を示す斜視図、図１０は図９の１０−１０線に沿う拡大側面図、図１１は従来のこの種のコネクタの一例を示す斜視図である。
【発明を実施するための最良の形態】  図を参照して説明する本発明コネクタの一例は、たとえばハードディスクドライブとパーソナルコンピュータのマザーボードとを接続するためのものであるが、本発明コネクタの用途はこれらに限られるものではない。
このコネクタは、図１に示すように、複数の基板側端子１２を列設したプラグ挿入開口１３が回路基板１１の一部として構成されているので、このプラグ挿入開口１３とプラグ部材２１のみからなる。
プラグ挿入開口１３の縁部近傍において電気回路に接続された多数の基板側端子１２は、マザーボード等を構成する印刷配線板などの回路基板１１に、その基板側端子１２を等間隔に平行配置して形成されている。従って、列設された基板側端子１２の端部は、前記基板１１に開けたプラグ挿入開口１３に臨接して形成されている。ここで、プラグ挿入開口１３は平面形状がほぼ横長の長方形状をなし、基板側端子１２の列の両外側端（図１の開口１３における手前側）には、その端子１２の向きと略平行な溝状の位置規制部１４が前記開口１３の一部として設けられている。左右の位置規制部１４は、基板側端子１２と平行に延びる溝状の切り込みからなり、この切り込みによって基板側端子１２の列が開口１３の内側に突出する形態になる突出部１５に形成される。プラグ挿入開口１３における前記規制部１４の向う側の側縁には、開口１３の左右の間口を広げる側に向けた切欠きによる移動阻止部１６が設けられている。従って、この移動阻止部１６は、基板側端子１２の列に対して直交した向きである。
一方、プラグ部材２１は、プラグ挿入開口１３に上方から嵌る平面形状，大きさを有し、正面に部品側端子の列を設置する端子の保持溝２６が形成された略箱状をなす部材によるプラグ本体２２を主体とし、たとえば合成樹脂材の射出成型物により形成されている。各部品側端子に接続されるフラットケーブル２３は、プラグ本体２２の端子保持溝２６による開口部と反対側の端部近くにおいて、プラグ本体２２の内部に挿通され保持されている。
前記プラグ本体２２は、ここでは横長の中央部材２４と左右の側部材２５とからなり、部品側端子２７の保持溝２６は中央部材２４に横長に形成されている。また、部品側端子２７の保持溝２６は、図５に例示するように、部品側端子２７が上下を一対とし、一例として２０対が組込まれている。夫々の対を構成している個々の部品側端子２７は、その側面形状が図５に例示するように先挟まりのテーパー状をなし、スペーサ２８の上下に配置されている。各部品側端子２７とフラットケーブル２３の個々のケーブルとの接続は、図６に示すように、フラットケーブル２３をプラグ本体２２の後部に形成したケーブル挿入隙間からプラグ本体２２の底まで挿し込んでおき、そこに各部品側端子２７の後端側を保持溝２６の入口側から挿入すると、当該端子２７の後端側が有するスリット２９が弾性変形されつつフラットケーブル２３に刺し込まれるので、各端子２７の後端側のナイフエッジによってフラットケーブル２３の被覆が切られ、各部品側端子２７の夫々がフラットケーブル２３のワイヤに直接接触することによってなされる。
また、プラグ本体２２を構成する両側部材２５には、図１、図３および図４に示すように、水平溝状の案内部３１が形成されている。この案内部３１は、上下幅ｗが回路基板１１の厚みｔよりも僅かに大きい幅の溝の形態をもち、両側部材２５の奥行き方向の全長に形成されている。
さらに、中央部材２４の上壁の両端付近には、図１、図２〜５などに示すように、前後で対をなす二組の保持片３２が配置されている。前後で対をなす保持片３２は、互いに前後で間隔をおいて対面配置されていると共に、中央部材２４と一体成形され、横長のストッパ体３３が左右の保持片３２における前後で対をなす保持片３２の間に挿入されている。ストッパ体３３は、保持片３２の間に挟持される水平部材３４と、水平部材３４の両端から下方に延びる垂直部材３５とからなっており、水平部材３４が保持片３２に弾性保持されていると共に、垂直部材３５が水平な溝状の案内部３１と直交する案内溝３１ａに配置されており、以上により本発明コネクタにおけるプラグ部材２１の一例を形成する。
本発明の上記の実施の形態において、プラグ本体２１は、差し込み側に設けた部品側端子２７が組み込まれる端子保持空間である保持溝２６と、プラグ本体２１を差し込むときに、回路基板１１の上を水平移動させるプラグ本体２２に設けた案内部３１とを備え、ストッパ体３３がプラグ本体２２上で垂直移動可能に保持されている。一方、プラグ挿入開口１３は、プラグ本体２２の平面形状に対応する開口形状を有し、差し込み側に基板側端子１２の一部あるいは全部が配置された突出部１５を備え、この突出部１５の両側にプラグ本体２２に当たる位置規制部１４となる第一の切り込み、および、ストッパ体３３に嵌まる移動阻止部１６となる第二の切り込みを形成されている。
このような、電子部品用コネクタでは、プラグ部材２１を回路基板１１の突出部１５に差し込むとき、案内部３１がプラグ部材２１の水平方向スライドを案内し、部品側端子２７を基板側端子１２に導き、これらの端子２７と１２が接触すると、プラグ本体２１がプラグ挿入開口１３に形成された第一の切込み１４に嵌まり、プラグ部材２１のスライドを止めて差し込み深さを規制し、そして、ストッパ体３３を押下げて第二の切込み１６にはめ込むことにより、プラグ本体２２の位置を固定することができるので、プラグ部材２１の端子２７と基板側端子１２の接続をより簡単に、かつ確実におこなえる。
また、本発明コネクタの製造に際しては、ソケットとなる部材を別部品として必要としないばかりか、第一の切込み１４と第二の切込み１６をソケットとなるプラグ挿入開口１３と一緒に形成することができるので、製造コスト，部品コストをさらに低減することができる。
更にストッパ体３３が、プラグ本体２２から突出した保持片３２によって弾性保持されるようにするため、プラグ本体２２を成型加工によって製造するときに、ストッパ体３３の位置決め手段（保持片３２）も同時成型できるので、部品コストや組立手段などをさらに削減することができる。
次に、リボンケーブル２３を有するプラグ部材２１の回路基板１１における基板側端子１２の列に対する電気接続について述べる。まず、図７に示すように、プラグ部材２１をプラグ挿入開口１３の中に上方から入れて配置し、プラグ部材全体を基板側端子１２に向かって水平移動させる。水平移動させると、プラグ部材２１の側面にある案内部３１を構成する平面がガイドとなって、プラグ部材２１が回路基板１１の開口１３の縁上を滑り、図８に示すように、プラグ部材２１の端子保持溝２６が基板側の突出部１５に嵌まり込み、プラグ部材２１の部品側端子２７が基板側端子１２に接触する。このとき、プラグ本体２２における側部材２５の先端が位置規制部１４に当接することで、プラグ部材２１の差し込み深さの規制がなされ、各部品側端子２７と各基板側端子１２とが夫々に電気接続される。この状態になったら、図９に示すように、ストッパ体３３を押し下げる。ストッパ３３の押し下げにより、垂直部材３５の下端が開口１３の両側に形成した切欠き状の移動阻止部１６に嵌り込み、プラグ部材２１の後退抜去を阻止する。このとき、ストッパ体３３の水平部材３４を挟持している保持片３２が撓んで、ストッパ体３３を弾性的に保持し、ストッパ体３３がその保持片３２から抜け出すことを阻止する。
産業上の利用の可能性
本発明コネクタは、上述のように、ソケットとなる構成が回路基板上に開口し基板側端子１２を備えたプラグ挿入口１３として形成されているので、別部品を要することなく回路基板１１の一部として形成することができ、従って、後付け部品はプラグ部材２１のみとなるため、部品点数が公知のこの種のコネクタに比べて約半分となり、低コストで製造することが可能になる。
また、プラグ部材２１は、これに設けた案内部３１が回路基板１１の開口１３の縁に接触しつつスライドして、部品側端子２７の位置決めをおこなうため、部品側端子２７を基板側端子１２に正確にかつスムーズに接触させかつ接続することができる。しかも、接続後にはストッパ体３３が移動阻止部１６に係合して、プラグ部材２１の後退抜去を阻止するため、単にスライドさせるだけで、部品側端子２７と基板側端子１２との位置合わせを行い、プラグ部材の装着作業を簡単にかつ迅速に行うことができるので、必要に応じて、ロボットなどの自動機械にこの作業を行わせることができる。
なお、以上説明した実施例において、より端子数の少ないシリアル接続用コネクタとして構成しても良く、さらに、オーディオ機器やビデオ機器における内部電子部品と印刷配線板などの回路基板とを接続するコネクタとして構成しても良い。
また、プラグ部材２１の差し込み位置の固定は、ストッパ体３３の垂直部材３５がプラグ挿入開口１３の切欠状の移動阻止部１６に嵌り込むことによってなされているが、プラグ部材２１の差し込み位置の規制も含めて、他の構成を採用してもよい。
【図１】
2006046315.tif 000002
【図２】
2006046315.tif 000003
【図３】
2006046315.tif 000004
【図４】
2006046315.tif 000005
【図５】
2006046315.tif 000006
【図６】
2006046315.tif 000007
【図７】
2006046315.tif 000008
【図８】
2006046315.tif 000009
【図９】
2006046315.tif 000010
【図１０】
2006046315.tif 000011
【図１１】
2006046315.tif 000012
【国際調査報告】
2006046315.tif 000013
2006046315.tif 000014
2006046315.tif 000015
2006046315.tif 000016